(57)【要約】【課題】鼻孔からの排出でセンサが汚れず、正確な炭酸ガス濃度測定を可能とする。【解決手段】呼気は鼻チューブ６を介して取付部４に到来し、呼気排出口１６から鼻マスクシェル１内に抜ける。酸素等が導入口２へ到来しても呼気排出口１６から取付部４内部へ到らず、殆ど影響されることなく適正な炭酸ガス濃度測定を可能である。また、導入口２へ到来する酸素などを陽圧として呼気排出口１６から直接または鼻チューブ６を介して鼻孔１５内に送り込むことも可能な構成である。【選択図】図１
2008200061.tif 000002
【特許請求の範囲】
【請求項１】
鼻を覆うように顔面に密着される密着縁を有し、内部が密封空間を構成する鼻マスクシェルと、
鼻マスクシェルの一部に形成され、鼻マスクシェルが装着された状態において鼻孔直下に位置して鼻孔からの呼気が導入され、この導入された呼気を排出するための呼気排出口を有すると共に、鼻マスクシェル外に炭酸ガスセンサを着脱可能に取り付けるための取付部と、
外部から酸素や空気などの気体を鼻マスクシェル内に導入するための導入口と、
鼻孔から前記取付部へ導入される呼気を、前記導入口から到来する気体によって希釈されることなく、前記鼻マスクシェル内において前記取付部へ導く経路を確保するための経路確保手段と
を具備することを特徴とする炭酸ガス測定用鼻マスク。
【請求項２】
前記経路確保手段は、鼻孔と前記取付部との間を結ぶチューブにより構成されていることを特徴とする請求項１に記載の炭酸ガス測定用鼻マスク。
【請求項３】
前記経路確保手段は、鼻マスクシェル内に設けられ、鼻部分を覆うと共に呼気を鼻孔から前記取付部へ導く形状の鼻カップにより構成されていることを特徴とする請求項１に記載の炭酸ガス測定用鼻マスク。
【請求項４】
前記鼻マスクシェルの一部が外側から内側へ凹む形状とされた凹部が形成され、
前記凹部へ突出するように前記取付部が形成されていることを特徴とする請求項１乃至３に記載の炭酸ガス測定用鼻マスク。
【発明の詳細な説明】
【技術分野】
【０００１】
この発明は、安定した炭酸ガス測定を可能とする炭酸ガス測定用鼻マスクに関するものであり、特に、睡眠時無呼吸症候群（ＳＡＳ）や呼吸不全の患者の治療に用いられるＣＰＡＰ（Continuous Positive Airway Pressure; 持続陽圧呼吸）療法、あるいはＮＰＰＶ（Noninvasive Positive Pressure Ventilation;非侵襲的陽圧換気）療法の機器に適用可能な炭酸ガス測定用鼻マスクに関するものである。これらの治療では、鼻マスクを鼻の周りに隙間から漏れがないように密着して固定し、機器から送られる酸素や空気などの気体によりマスク内の圧力を高めている。ＣＰＡＰ療法やＮＰＰＶ療法は患者の換気状態を改善させることが目的であるが、呼気の炭酸ガス測定を同時に行うことにより、低換気により体内に貯っていた炭酸ガスの濃度が如何に改善したかを定量的に知ることができる。すなわち、呼気の炭酸ガス濃度には適正値があり、実際の炭酸ガス濃度と適正値との差が一目で把握できる。また、陽圧のレベルやＮＰＰＶ療法における呼吸数の最適な設定を、呼気の炭酸ガス濃度を求めることにより、簡単に行うことができる。
【背景技術】
【０００２】
従来の炭酸ガス測定においては、鼻チューブを鼻孔に差し込み呼気をセンサへ導くタイプの特許文献１に記載の構成を有するものがある。しかしながら、この構成によると、鼻孔の直下にセンサ本体が位置することから、鼻孔から排出される鼻水などの汚れが、鼻チューブのみならずセンサ本体に付着して測定精度が落ちるため、センサの洗浄、滅菌の頻度が増加し、あるいはセンサを短時間で交換しなければならず、また加湿された酸素や空気をマスク内に送気する場合は、洗浄、滅菌の頻度がさらに増加するという問題があった。また、マスク内に炭酸ガスセンサを包含する場合はケーブルとマスクとの間に隙間ができてリークが生じ、陽圧を作るための効率が悪化して、最悪の場合、陽圧を作ることができないという別の問題もあった。
【０００３】
また、マスクに酸素を送り込むと共にマスク内から呼気を取り出して炭酸ガス測定を行うものが特許文献２に記載されている。しかしながら、この構成によると、マスク内で呼気と外部から供給された酸素とが混合し、供給された酸素により呼気が希釈されるため、正確な炭酸ガス濃度測定が行えないという問題がある。更に、この構造では、マスク内が大気に開放されているため、酸素などを強制的に送り込んでも、マスク内を陽圧に保つことが難しい。
【０００４】
マスクの外に炭酸ガスセンサを取り付ける構成の装置が特許文献３に開示されているが、このタイプのものにあっては、センサの他端が大気に開放されているため、酸素などを強制的に送り込んでも、マスク内を陽圧に保ことが難しい。
【特許文献１】特開２００３−３１５２６４号公報（図５、図６等）
【特許文献２】米国特許第７００４１６８号明細書（ＦＩＧ．１Ａ、１Ｂ等）
【特許文献３】特表２００２−５２０１０４号公報（図４等）
【発明の開示】
【発明が解決しようとする課題】
【０００５】
本発明は上記のような従来の炭酸ガス測定における問題点を解決せんとしてなされたもので、その目的は、鼻孔から排出される鼻水による汚れや、外部からマスク内に導入される加湿された気体による汚れがセンサに及ぶことなく、正確な炭酸ガス濃度測定が可能であり、しかも強制的に酸素などを送り込むことも可能な炭酸ガス測定用鼻マスクを提供することである。
【課題を解決するための手段】
【０００６】
本発明に係る炭酸ガス測定用鼻マスクは、鼻を覆うように顔面に密着される密着縁を有し、内部が密封空間を構成する鼻マスクシェルと、鼻マスクシェルの一部に形成され、鼻マスクシェルが装着された状態において鼻孔直下に位置して鼻孔からの呼気が導入され、この導入された呼気を排出するための呼気排出口を有すると共に、鼻マスクシェル外に炭酸ガスセンサを着脱可能に取り付けるための取付部と、外部から酸素や空気などの気体を鼻マスクシェル内に導入するための導入口と、鼻孔から前記取付部へ導入される呼気を、前記導入口から到来する気体によって希釈されることなく、前記鼻マスクシェル内において前記取付部へ導く経路を確保するための経路確保手段とを具備することを特徴とする。
【０００７】
本発明に係る炭酸ガス測定用鼻マスクでは、前記経路確保手段は、鼻孔と前記取付部との間を結ぶチューブにより構成されていることを特徴とする。
【０００８】
本発明に係る炭酸ガス測定用鼻マスクでは、前記経路確保手段は、鼻マスクシェル内に設けられ、鼻部分を覆うと共に呼気を鼻孔から前記取付部へ導く形状の鼻カップにより構成されていることを特徴とする。
【０００９】
本発明に係る炭酸ガス測定用鼻マスクは、前記鼻マスクシェルの一部が外側から内側へ凹む形状とされた凹部が形成され、前記凹部へ突出するように前記取付部が形成されていることを特徴とする。
【発明の効果】
【００１０】
本発明に係る炭酸ガス測定用鼻マスクは、鼻マスクシェルの一部に形成され、鼻マスクシェルが装着された状態において鼻孔直下に位置して鼻孔からの呼気が導入され、この導入された呼気を排出するための呼気排出口を有すると共に、鼻マスクシェル外に炭酸ガスセンサを着脱可能に取り付けるための取付部と、鼻孔から取付部へ導入される呼気を、導入口から導入される気体によって希釈されることなく、鼻マスクシェル内において取付部へ導く経路を確保するための経路確保手段とを備えているので、呼気が、導入口から導入される大気に希釈されることなく、取付部へ導かれ、取付部に装着される炭酸ガスセンサにより炭酸ガス濃度が検出される。
【００１１】
本発明に係る炭酸ガス測定用鼻マスクは、鼻孔と前記取付部との間を結ぶチューブにより、呼気が、導入口から導入される気体に希釈されることなく、取付部へ導かれ、取付部に装着される炭酸ガスセンサにより炭酸ガス濃度が検出される。
【００１２】
本発明に係る炭酸ガス測定用鼻マスクは、鼻マスクシェル内に設けられ、鼻部分を覆うと共に呼気を鼻孔から前記取付部へ導く形状の鼻カップにより、呼気が、導入口から導入される大気に希釈されることなく、取付部へ導かれ、取付部に装着される炭酸ガスセンサにより炭酸ガス濃度が検出される。
【００１３】
本発明に係る炭酸ガス測定用鼻マスクでは、前記鼻マスクシェルの一部が外側から内側へ凹む形状とされた凹部が形成され、前記凹部へ突出するように前記取付部が形成されているので、炭酸ガスセンサを凹部の取付部へ適切に装着させることができる。
【発明を実施するための最良の形態】
【００１４】
以下添付図面を参照して、本発明に係る炭酸ガス測定用鼻マスクの実施例を説明する。各図において、同一の構成要素には、同一の符号を付して重複する説明を省略する。
【００１５】
＜実施例１＞
図１、図２、図３に第１の実施例に係る炭酸ガス測定用鼻マスクの構成を示す。この炭酸ガス測定用鼻マスクは、鼻１１を覆うように顔面１２に密着される密着縁１３を有し、内部が密封空間を構成する例えば塩化ビニル製の鼻マスクシェル１を備える。鼻マスクシェル１の正面ほぼ中央には、外部から酸素または空気をエアチューブ１４を介して鼻マスクシェル１に覆われた空間に導入するための導入口２が形成されている。
【００１６】
鼻マスクシェル１は、鼻１１を覆うように顔面１２から前方へ向かって全体的には凸に形成され、鼻１１下の部分において外側から内側へ凹む形状とされた溝部３が形成されている。溝部３の長手方向に対する断面形状は、Ｕ字を逆さにした形状となっている。溝部３における長手方向の中央には、溝部３の天井側から突出するように、内部が空間になっている立方体状の取付部４が設けられている。なお、溝部３は孔状に形成しても良い。
【００１７】
取付部４は、鼻マスクシェル１の一部に形成され、鼻マスクシェル１が装着された状態において鼻孔１５の直下に位置するようにされている。取付部４は、鼻孔１５からの呼気を導入し、呼気排出口１６を正面側に有すると共に、鼻マスクシェル１外に炭酸ガスセンサ５を着脱可能に取り付けるためのものである。取付部４には、溝部３の長手方向に向けられた透明の測定用窓１７が設けられている。溝部３の両端部から中央部を見ると、それぞれ測定用窓１７が見える。呼気排出口１６の周辺部は、溝部３の壁面と一体に構成されるか、溝部３の壁面と接着した状態に構成される。呼気排出口１６の周辺部が溝部３の壁面と接着した状態に構成される場合には、呼気排出口１６と対応する位置において溝部３の壁面に穴が穿設される。呼気排出口１６と対向する取付部４の壁部についても、この呼気排出口１６の周辺部と同様の構成である。
【００１８】
取付部４の上側には、鼻孔１５から上記取付部４内へ導入される呼気を、上記導入口２から到来する気体に希釈されることなく、上記鼻マスクシェル１内において上記取付部４へ導く経路を確保するための経路確保手段を構成するＹ字状の鼻チューブ６が設けられている。取付部４は、鼻マスクシェル１の溝部３の天井における長手方向の中央に形成された穴部に嵌め込まれている。嵌め込み部分は、パッキンにより封止されている。
【００１９】
炭酸ガスセンサ５は、先に挙げた特許文献１に記載された構成と同様であり、リード線１８が受光素子及び発光素子に接続されている。本実施例の炭酸ガスセンサ５は、先に挙げた特許文献１の図２（ｂ）に示されるタイプであり、凹部５１に取付部４を挿入させる構成であるが、特許文献１の図１５に示されるように取付部４を両側から挟み付ける構成であっても良い。炭酸ガスセンサ５と取付部４とのいずれか一方に例えばフックが設けられ、炭酸ガスセンサ５と取付部４とのいずれか他方にはフックに対応する位置に係止孔が設けられ、炭酸ガスセンサ５と取付部４とがこれらにより結合する。上記鼻マスクシェル１は、図示しないバンドにより頭部或いは耳部に掛けられ固定される。
【００２０】
以上の構成に係る炭酸ガス測定用鼻マスクでは、呼気は鼻チューブ６を介して取付部４に到来し、呼気排出口１６から鼻マスクシェル１内に抜けるので、酸素等が導入口２へ到来しても、殆ど影響されることなく正確な炭酸ガス濃度測定を可能とする。また、鼻マスクシェル１は密着縁１３により顔面１２に密着されるため、導入口２へ到来する酸素などを陽圧として使用することができ、睡眠時無呼吸症候群や呼吸不全の患者の治療に用いられるＣＰＡＰ療法やＮＰＰＶ療法の機器に適用可能であるという優れた効果を備える。
【００２１】
また、取付部４と鼻チューブ６とを使用後に取り換えることにより、或いは、炭酸ガス測定用鼻マスクにおける炭酸ガスセンサ５以外を取り換えることにより、汚れを清掃する作業が不要となり、測定作業などを効率的に進めることができる。
【００２２】
＜変形例＞
図４、図５に、第１の実施例に係る炭酸ガス測定用鼻マスクの変形例を示す。この炭酸ガス測定用鼻マスクにおいて、溝部３は、下方側が開放された角筒状をなしており、溝部３の長手方向中央部に穴部８１が形成されている。この穴部８１は、溝部３を形成する壁部８２の天井部分から前方部分までを四角に切欠した如くの形状となっている。
【００２３】
上記の穴部８１には、取付部４Ａが嵌合される。取付部４Ａは、ほぼ立方体をなす中空のケース４１と、このケース４１に接着されたゴム一体成型品であるパッキン４２とを有し、立方体の天板に鼻チューブ６が取り付けられている。鼻チューブ６はケース４１の内室と連絡している。ケース４１の両サイドには、測定用窓１７が設けられている。
【００２４】
パッキン４２とケース４１の前方中央部には、ケース４１の内室と連絡する呼気排出口１６が形成されている。パッキン４２の側部には、穴部８１に臨む開口縁８３と当接する溝４３と、溝４３のバンク部４４、４５が形成されている。バンク部４４、４５は、溝４３より外側へ突出しており、開口縁８３と溝４３が当接した状態では、バンク部４４、４５が壁部８２を表裏両面側から挟み込み、穴部８１を封止する。
【００２５】
取付部４Ａが穴部８１に取り付けられた図５に示す状態では、呼気が鼻チューブ６からケース４１の内室へ到り、呼気排出口１６から鼻マスクシェル１内へ送られる。一方、酸素などはエアチューブ１４から導入口２を介して鼻マスクシェル１内へ到る。このように構成された炭酸ガス測定用鼻マスクの変形例においても、取付部４Ａに炭酸ガスセンサ５が取り付けられて、図１〜図３の炭酸ガス測定用鼻マスクと同様に用いることができ、同様の効果を得ることが可能である。
【００２６】
＜実施例２＞
図６、図７に第２の実施例に係る炭酸ガス測定用鼻マスクの構成を示す。この炭酸ガス測定用鼻マスクにおいては、取付部４Ｂの上側に、鼻チューブ６に代えて、鼻マスクシェル１内に設けられ、鼻１１を覆うと共に呼気を鼻孔から取付部４Ｂへ導く形状の鼻カップ７が経路確保手段として設けられている。
【００２７】
鼻カップ７は、鼻マスクシェル１を小型にしたような凸形状を有し、鼻マスクシェル１が装着された状態において鼻孔１５の下方に位置するようにされている底面部２１と、鼻１１の上部を覆う本体部２２とを備える。マスクが装着された状態における本体部２２の上部は、顔面１２に接しないように湾曲部２３が形成され、湾曲部２３と顔面１２との間に空隙が生じるように構成されている。上記底面部２１の鼻孔１５の直下には、底面部２１を取付部４Ｂに固定するための取付穴２１ａが設けられ、取付部４Ｂの上壁には、取付部４Ｂの内部に呼気を導入するための導入口４ａが設けられている。
【００２８】
鼻カップ７の湾曲部２３を除く周縁部２４は、鼻１１の近傍において顔面１２に接触するように構成されている。鼻カップ７の湾曲部２３を除く周縁部２４と、鼻マスクシェル１の密着縁１３とを連絡面により連続させて、湾曲部２３を除く位置において二重構造としても良いし、上記連絡面を設けなくとも良い。いずれの構成においても、導入口２から到来する酸素などの気体は鼻カップ７により直接には鼻孔１５へ到らず、基本的には湾曲部２３と顔面１２との間の空隙を介して鼻孔１５へ送られる。
【００２９】
上記以外は第１の実施例に等しい構成を有する本実施例に係る炭酸ガス測定用鼻マスクにおいては、呼気が鼻孔１５から鼻カップ７、導入口４ａを介して取付部４に到来し、呼気排出口１６から鼻マスクシェル１内に抜けるので、酸素等が導入口２へ到来しても、殆ど影響されることなく取付部４に取り付けられた炭酸ガスセンサ５により適正な炭酸ガス濃度測定を可能とする。また、導入口２へ到来する酸素などを陽圧として多くは湾曲部２３（僅かに呼気排出口１６）を介して鼻孔１５内に送り込むことも可能な構成となっている。このため、到来する酸素などを陽圧として使用することができ、睡眠時無呼吸症候群や呼吸不全の患者の治療に用いられるＣＰＡＰ療法やＮＰＰＶ療法の機器に適用可能であるという優れた効果を備える。
【図面の簡単な説明】
【００３０】
【図１】本発明に係る炭酸ガス測定用鼻マスクの第１の実施例が装着された状態を示す斜視図。
【図２】図１に示した炭酸ガス測定用鼻マスクの第１の実施例に炭酸ガスセンサを装着し、鼻筋と同じラインを断面線として示した断面図。
【図３】図１に示した炭酸ガス測定用鼻マスクの第１の実施例に炭酸ガスセンサを装着し、鼻の付根付近と同じラインを断面線として示した断面図。
【図４】本発明に係る炭酸ガス測定用鼻マスクの第１の実施例における変形例を示す要部斜視図。
【図５】図４に示した炭酸ガス測定用鼻マスクについて、鼻筋と同じラインを断面線として示した断面図。
【図６】本発明に係る炭酸ガス測定用鼻マスクの第２の実施例が装着された状態を示す斜視図。
【図７】図６に示した炭酸ガス測定用鼻マスクの第２の実施例について、鼻筋と同じラインを断面線として示した断面図。
【符号の説明】
【００３１】
１  鼻マスクシェル
２  導入口
３  溝部
４、４Ａ、４Ｂ  取付部
４ａ  導入口
５  炭酸ガスセンサ
６  鼻チューブ
７  鼻カップ
１１  鼻
１２  顔面
１３  密着縁
１４  エアチューブ
１５  鼻孔
１６  呼気排出口
１７  測定用窓
１８  リード線
２１  底面部
２１ａ  取付穴
２２  本体部
２３  湾曲部
４１  ケース
４２  パッキン
４３  溝部
８１  穴部
８２  壁部
【図１】
2008200061.tif 000003
【図２】
2008200061.tif 000004
【図３】
2008200061.tif 000005
【図４】
2008200061.tif 000006
【図５】
2008200061.tif 000007
【図６】
2008200061.tif 000008
【図７】
2008200061.tif 000009